(57)【特許請求の範囲】
【請求項１】
番組出力制限用データが重畳された番組を視聴する際に、
テレビジョン装置が、
第１の番組に重畳されている番組出力制限用データと所望の制限レベルとを比較する第１のステップと、
前記第１のステップで比較された比較結果に基づき前記第１の番組の出力を制御する第２のステップと、
前記第１の番組の切り替えが行われて新たに視聴される第２の番組に重畳されている番組出力制限用データと前記所望の制限レベルとを比較する第３のステップと、
前記第３のステップで比較された比較結果に基づき前記第２の番組の出力を制御すると共に、前記第１のステップで比較された比較結果を出力する第４のステップとを有する番組出力制御方法。
【請求項２】
前記第２の番組に替えて前記第１の番組を再び視聴する番組として選択したときには、前記第２の番組を視聴している際に得られる前記第１のステップで比較された比較結果に基づいて、前記第１の番組の出力を制御する請求項１記載の番組出力制御方法。
【請求項３】
前記第１の番組の切り替えが行われて新たに第２の番組が視聴されたときには、前記第２の番組に重畳されている番組出力制限用データと前記所望の制限レベルとを比較してから、前記第１の番組に重畳されている番組出力制限用データとの比較を行う請求項１記載の番組出力制御方法。
【請求項４】
出力制限用データが重畳された第１および第２の番組の信号を切り替えて選択する信号切替手段と、
前記信号切替手段で選択された第１の番組の信号あるいは第２の番組の信号から前記出力制限用データを得るデコード手段と、
前記第１の番組の信号あるいは前記第２の番組の信号に基づく画像や音声を出力する出力手段と、
前記デコード手段で得られた前記出力制限用データと所望の制限レベルとを比較して、その比較結果に基づき前記信号切替手段および前記出力手段の動作を制御する制御手段を有し、
前記制御手段は、
前記信号切替手段を制御して前記第１の番組の信号と前記第２の番組の信号とを交互に選択すると共に、前記デコード手段で得られた前記出力制限用データと前記所望の制限レベルとを比較して第１および第２の番組の画像や音声を出力するか否かを判別し、その比較結果に基づき前記出力手段を制御して前記第１および第２の番組の信号に基づく画像や音声の出力を制御し、
前記出力手段で前記第２の番組の信号に基づく画像や音声を出力するときに、前記第２の番組の信号に重畳されている出力制限用データと前記所望の制限レベルとの比較結果に応じて前記第２の番組の画像や音声の出力を制御すると共に、前記第２の番組の前に視聴されていた前記第１の番組の信号に重畳されている番組出力制限用データと前記所望の制限レベルとの比較結果を出力するテレビジョン装置。
【請求項５】
新たに視聴された前記第２の番組の信号に替えて、前記第２の番組の前に視聴されていた前記第１の番組の信号に基づく画像や音声を再度前記出力手段から出力するとき、
前記制御手段は、
前記第２の番組の信号に基づく画像や音声の出力時に前記第１の番組に重畳されている番組出力制限用データと前記所望の制限レベルとの比較結果に応じて、前記出力手段からの前記第１の番組の信号に基づく画像や音声の出力を制御する請求項４記載のテレビジョン装置。
【請求項６】
前記制御手段は、
前記出力手段から出力される番組の画像や音声の切り替えを行ったとき、前記信号切替手段を制御して前記出力手段から出力される番組の信号を選択する請求項４記載のテレビジョン装置。
【発明の詳細な説明】
【０００１】
【発明の属する技術分野】
この発明は番組表示制御方法およびそれを用いたテレビジョン装置に関する。詳しくは、番組出力制限用データが重畳された番組を視聴する際に、第１の番組に重畳されている番組出力制限用データと所望の制限レベルとを比較し、その比較された比較結果に基づき第１の番組の出力を制御し、第１の番組の切り替えが行われて新たに視聴される第２の番組に重畳されている番組出力制限用データと所望の制限レベルとを比較し、その比較された比較結果に基づき第２の番組の出力を制御すると共に、第１の番組に重畳されている番組出力制限用データと所望の制限レベルとを比較した比較結果を出力するものである。
【０００２】
【従来の技術】
従来より米国ではクローズド・キャプション(closed caption)と呼ばれる文字多重放送が行われている。このクローズド・キャプションでは、英数字や記号等をコード化すると共に、テレビジョン信号の２１番目の走査線（第２１Ｈ）に重畳して、画面上に字幕をスーパーインポーズするものである。また、クローズド・キャプションでは、拡張データサービス(Extended Data Service)として、第２フィールドの２１番目の走査線（第２８４Ｈ）にデータを重畳させて、番組に関連した情報、例えば番組のタイトル名や長さ、番組の種類等の情報を視聴者に提供できるようになされている。さらに、拡張データサービスでは、子供等に悪影響を与えるのではないかと懸念される内容に対して、アクセス制限（米国ではＶ−ＣＨＩＰと呼ばれている）を行うための評価情報の提供も行われている。
【０００３】
ここで、番組に重畳されている番組出力制限用の情報（評価情報）を用いて暴力シーン等の視聴を制限するためには、出力の制限を行う制限レベルを設定し、評価情報が設定された制限レベル（以下「設定評価レベル」という）以上と判別されたとき、すなわち悪影響が大きいと懸念されると判別されたときには、番組の出力制限、すなわちアクセス制限を行って画像や音声の出力を禁止し、その後、評価情報のレベルが設定された評価レベルよりも低くなったときには、アクセス制限を解除して画像や音声の出力が行われる。
【０００４】
この番組出力制限用のデータ（以下「評価情報データ」という）は、３ビットの番組評価情報、１ビットのパリティ、３ビットの番組案内等の情報、およびデータが有効か否かを示す１ビットデータで構成されている。ここで３ビットの番組評価情報は、例えば映画等では図９に示すように分類されており、「一般向き」との評定に対してはビット「００１」が割り当てられている。また、「１２歳以下で保護者を必要」との評定に対してはビット「０１０」が割り当てられている。さらに、他の年齢に応じても割り当てが行われている。
【０００５】
【発明が解決しようとする課題】
ところで、評価情報データは例えば数秒間隔で重畳されていることから、番組の切り替えを行ったときには、評価情報データと設定評価レベルを比較して比較結果に基づきアクセス制限が行われるまで、画像や音声の出力が行われてしまう。このため、アクセス制限を行うべき番組の画像や音声を出力させないためには、番組の切り替えを行わないようにしなければならない。しかし、アクセス制限中は画像や音声の出力が行われないことから、番組を楽しむことができない。
【０００６】
そこで、この発明では、番組の切り替えを行う際にアクセス制限すべき番組の画像や音声が出力されてしまうことを防止できる番組出力制御方法およびそれを用いたテレビジョン装置を提供するものである。
【０００７】
【課題を解決するための手段】
この発明に係る番組出力制御方法は、番組出力制限用データが重畳された番組を視聴する際に、テレビジョン装置が、第１の番組に重畳されている番組出力制限用データと所望の制限レベルとを比較する第１のステップと、第１のステップで比較された比較結果に基づき第１の番組の出力を制御する第２のステップと、第１の番組の切り替えが行われて新たに視聴される第２の番組に重畳されている番組出力制限用データと所望の制限レベルとを比較する第３のステップと、第３のステップで比較された比較結果に基づき第２の番組の出力を制御すると共に、第１のステップで比較された比較結果を出力する第４のステップとを有するものである。
【０００８】
また、テレビジョン装置は、出力制限用データが重畳された第１および第２の番組の信号を切り替えて選択する信号切替手段と、信号切替手段で選択された第１の番組の信号あるいは第２の番組の信号から出力制限用データを得るデコード手段と、第１の番組の信号あるいは第２の番組の信号に基づく画像や音声を出力する出力手段と、デコード手段で得られた出力制限用データと所望の制限レベルとを比較して、その比較結果に基づき信号切替手段および出力手段の動作を制御する制御手段を有し、制御手段は、信号切替手段を制御して第１の番組の信号と第２の番組の信号とを交互に選択すると共に、デコード手段で得られた出力制限用データと所望の制限レベルとを比較して第１および第２の番組の画像や音声を出力するか否かを判別し、その比較結果に基づき出力手段を制御して第１および第２の番組の信号に基づく画像や音声の出力を制御し、出力手段で第２の番組の信号に基づく画像や音声を出力するときに、第２の番組の信号に重畳されている出力制限用データと所望の制限レベルとの比較結果に応じて第２の番組の画像や音声の出力を制御すると共に、第２の番組の前に視聴されていた第１の番組の信号に重畳されている番組出力制限用データと所望の制限レベルとの比較結果を出力するものである。
【０００９】
この発明においては、番組出力制限用データが重畳された番組を視聴する際に、第１の番組に重畳されている番組出力制限用データと所望の制限レベルとを比較し、その比較された比較結果に基づき第１の番組の出力を制御し、第１の番組の切り替えが行われて新たに視聴される第２の番組に重畳されている番組出力制限用データと所望の制限レベルとを比較し、その比較された比較結果に基づき第２の番組の出力を制御すると共に、第１の番組に重畳されている番組出力制限用データと所望の制限レベルとを比較した比較結果を出力する。
【００１０】
【発明の実施の形態】
以下、図を参照しながら、この発明に係るテレビジョン装置の第１の実施の形態について説明する。
【００１１】
図１に示すアンテナ１０で受信された放送波は、チューナ１１，２１に供給される。チューナ１１では、後述する動作制御部４０からの選局制御信号ＴＣaに基づく放送波の信号を選択して中間周波信号を生成し、この中間周波信号を映像中間周波処理部１２によって増幅すると共に検波する。この映像中間周波処理部１２で得られた映像信号ＳＶaは、色再生・同期処理部１３と音声中間周波処理部１５および信号切替部３１の端子３１a側に供給される。
【００１２】
色再生・同期処理部１３では、供給された映像信号ＳＶaから三原色信号や同期信号を生成する。この三原色信号や同期信号が受像管等を用いて構成された表示部１４に供給されて、表示部１４の画面上に所望の番組が表示される。また、色再生・同期処理部１３では、動作制御部４０から供給された映像出力制御信号ＶＯＣに基づき、表示部１４に対する三原色信号の供給を停止して番組の表示を禁止する。また、動作制御部４０から供給されたオンスクリーン制御信号ＯＳＳに基づいて、チャネル番号や動作に関する表示が表示部１４で行われる。
【００１３】
音声中間周波処理部１５では、映像中間周波処理部１２からの映像信号ＳＶaを検波して音声中間周波信号を生成すると共に増幅し、さらに音声中間周波信号を検波して音声信号を取り出す。この音声信号が音声増幅部１６によって増幅されて、スピーカ等を用いて構成された音声出力部１７に供給されることにより、音声出力部１７から音声が出力される。また、音声増幅部１６では、動作制御部４０から供給された音声出力制御信号ＡＯＣによって音声出力部１７に対する音声信号の供給を停止して、音声の出力を禁止する。
【００１４】
チューナ２１では、動作制御部４０からの選局制御信号ＴＣbに基づく放送波の信号を選択して中間周波信号を生成し、この中間周波信号を映像中間周波処理部２２によって増幅すると共に検波して映像信号ＳＶbを生成する。この生成された映像信号ＳＶbは、信号切替部３１の端子３１b側に供給される。
【００１５】
信号切替部３１の可動端子３１cはデコーダ部３２と接続されており、信号切替部３１では、動作制御部４０から切替制御信号ＣＳに基づき、映像中間周波処理部１２からの映像信号ＳＶaあるいは映像中間周波処理部２２からの映像信号ＳＶbの何れかを選択してデコーダ部３２に供給する。
【００１６】
デコーダ部３２では、映像信号ＳＶaあるいは映像信号ＳＶbに重畳されている評価情報を示す信号を分離すると共にデコード処理して評価情報データＤＴを生成して動作制御部４０に供給する。なお、デコーダ部３２には、動作制御部４０から制御信号ＣＴが供給されており、この制御信号ＣＴに基づいてデコーダ部３２の動作が制御される。
【００１７】
動作制御部４０には操作入力部４１が接続されており、操作入力部４１からの操作信号ＰＳに基づいて、選局制御信号ＴＣa，ＴＣbを生成したり、アクセス制限動作を行うか否かの選択、およびアクセス制限を行う際には、視聴を制限するための所望の制限レベル（以下「設定評価レベル」という）の設定等が行われる。
【００１８】
また、動作制御部４０にはメモリ部４２やタイマー部４３が接続されており、メモリ部４２には、チャネル番号とデコーダ部３２から供給された評価情報データＤＴや操作入力部４１によって設定された設定評価レベル等の情報ＤＭが記憶される。またタイマー部４３から時間情報ＴＳを得て、この時間情報ＴＳを利用して動作制御部４０での動作が行われる。さらに、動作制御部４０では、デコーダ部３２から供給された評価情報データＤＴと設定評価レベルを比較して、比較結果に基づき映像出力制御信号ＶＯＣや音声出力制御信号ＡＯＣおよびオンスクリーン制御信号ＯＳＳの生成等を行う。
【００１９】
次に、図２，図３のフローチャートを用いて動作制御部４０の処理を説明する。まず、ステップＳＴ１ではタイマー経過時間ＴＭＡを初期値「０」に設定してステップＳＴ２に進む。
【００２０】
ステップＳＴ２では、視聴している番組のチャネル番号を切替前チャネル番号ＯＣＨに設定してステップＳＴ３に進む。ステップＳＴ３では、信号切替部３１の可動端子３１cを視聴している番組の映像信号が供給されている端子３１a側に切り替えてステップＳＴ４に進む。このステップＳＴ３で、可動端子３１cが視聴している番組の映像信号が供給されている端子３１a側に切り替えられることにより、視聴している番組の映像信号に重畳された評価情報データＤＴに基づいて応答性良くアクセス制限を行うことができる。
【００２１】
ステップＳＴ４では、信号切替部３１で選択した映像信号から評価情報データＤＴがデコーダ部３２で生成されて、動作制御部４０に供給されたか否かが判別される。ここで、評価情報データＤＴがデコーダ部から供給されたときにはステップＳＴ５に進み、評価情報データＤＴが供給されていないときにはステップＳＴ９に進む。
【００２２】
ステップＳＴ４からステップＳＴ５に進むと、ステップＳＴ５ではタイマー経過時間ＴＭＡを初期値「０」に設定してステップＳＴ６に進む。
【００２３】
ステップＳＴ６では、デコーダ部３２から供給された評価情報データＤＴのレベルと予めメモリ部４２に記憶されている設定評価レベルを比較して、評価情報データＤＴのレベルが設定評価レベル以上であるか否かの判別が行われる。ここで、評価情報データＤＴのレベルが設定評価レベル以上であるときには、アクセス制限を行うものとしてステップＳＴ７に進む。また評価情報データＤＴのレベルが設定評価レベル以上でないときには、アクセス制限を行わないものとしてステップＳＴ１０に進む。
【００２４】
ステップＳＴ７では、消去動作をオン状態とする。すなわち、色再生・同期処理部１３から表示部１４に対しての三原色信号の供給を映像出力制御信号ＶＯＣによって停止させることにより番組の表示を禁止すると共に、音声増幅部１６から音声出力部１７に対しての音声出力信号の供給を音声出力制御信号ＡＯＣによって停止させることにより番組の音声の出力を禁止する。また、ステップＳＴ７では、動作制御部４０から情報信号ＤＭをメモリ部４２に供給して、メモリ部４２のメモリ領域４２aに切替前チャネル番号ＯＣＨを書き込むと共に、メモリ領域４２bにデコーダ部３２で生成された評価情報データＤＴを書き込みステップＳＴ８に進む。
【００２５】
ステップＳＴ８では、操作入力部４１からの操作信号ＰＳによってチャネル切替が行われたか否かの判別が行われる。ここで、チャネル切替が行われていないときにはステップＳＴ３に戻り、チャネル切替が行われているときにはステップＳＴ１１に進む。
【００２６】
ステップＳＴ４からステップＳＴ９に進むと、ステップＳＴ９では、評価情報が重畳される時間間隔よりも長い時間Ｌa、例えば評価情報が１秒〜３秒間隔程度で重畳されているときには時間Ｌaを５秒とし、タイマー経過時間ＴＭＡが時間Ｌa以上であるか否かの判別が行われる。ここで、タイマー経過時間ＴＭＡが時間Ｌa以上経過していないときにはステップＳＴ３に戻り、時間Ｌa以上経過するとステップＳＴ１０に進む。
【００２７】
ステップＳＴ９あるいはステップＳＴ６からステップＳＴ１０に進むと、ステップＳＴ１０では、消去動作がオン状態とされているときにはオフ状態としてステップＳＴ３に戻る。
【００２８】
ステップＳＴ８からステップＳＴ１１に進むと、ステップＳＴ１１では消去動作をオフ状態とする。また、信号切替部３１の可動端子３１cが、視聴しているチャネル番号を選局しているチューナ側とは異なる端子３１b側とされているときには、可動端子３１cを端子３１a側に切り替える。さらに、タイマー経過時間ＴＭＡを初期値「０」に設定すると共に、チャネル切替が行われて新たに視聴されるチャネル番号を切替前チャネル番号ＯＣＨとしてステップＳＴ１２に進む。
【００２９】
ステップＳＴ１２では、操作入力部４１からの操作信号ＰＳによってメッセージモードに設定されているか否かの判別が行われる。ここで、メッセージモードはチャネル切替が行われる前に視聴していた番組の評価情報データＤＴが設定評価レベル以上であるか否かを、例えば表示部１４の画面上に表示するモードであり、メッセージモードに設定されているときにはステップＳＴ１３に進み、メッセージモードに設定されていないときにはステップＳＴ３に戻る。
【００３０】
ステップＳＴ１３では、視聴しているチャネル番号を選局していないチューナ２１で、メモリ部４２のメモリ領域４２aに記憶されている切替前チャネル番号ＯＣＨを選局してステップＳＴ１４に進む。
【００３１】
ステップＳＴ１４では、デコーダ部３２から評価情報データＤＴが供給されたか否かの判別が行われる。ここで、評価情報データＤＴが供給されたときにはステップＳＴ１５に進み、供給されていないときにはステップＳＴ２０に進む。
【００３２】
ステップＳＴ１５では、タイマー経過時間ＴＭＡを時間Ｌaに設定する。このステップＳＴ１５でタイマー経過時間ＴＭＡを時間Ｌaに設定することにより、後述するステップＳＴ２６，２７によって、直ちに信号切替部３１で端子切替動作が行われて、アクセス制限の判別を行う映像信号の切り替えを速やかに行うことができる。
【００３３】
ステップＳＴ１５からステップＳＴ１６に進むと、ステップＳＴ１６では供給された評価情報データＤＴのレベルが設定評価レベル以上であるか否かの判別が行われる。ここで、設定評価レベル以上であるときにはステップＳＴ１７に進み、設定評価レベル以上でないときにはステップＳＴ２１に進む。
【００３４】
ステップＳＴ１７では、信号切替部３１の可動端子３１cが視聴しているチャネル番号を選局しているチューナ１１側である端子３１a側とされているか否かの判別が行われる。ここで、可動端子３１cが端子３１a側とされているときにはステップＳＴ１８に進み、されていないときにはステップＳＴ１９に進む。
【００３５】
ステップＳＴ１８では、消去動作をオン状態としてステップＳＴ２４に進む。またステップＳＴ１９では、画面上にメモリ部４２に記憶されているチャネル番号の番組はアクセス制限中であることを示す表示がなされると共に、供給された評価情報データＤＴがメモリ部４２のメモリ領域４２bに書き込まれてステップＳＴ２４に進む。
【００３６】
ステップＳＴ１４からステップＳＴ２０に進むと、ステップＳＴ２０では、タイマー経過時間ＴＭＡが時間Ｌa以上であるか否かの判別が行われる。ここで、タイマー経過時間ＴＭＡが時間Ｌa以上経過しているときにはステップＳＴ２１に進み、時間Ｌa以上経過していないときにはステップＳＴ２４に進む。
【００３７】
ステップＳＴ１６からステップＳＴ２１に進むと、ステップＳＴ２１でもステップＳＴ１７と同様に、信号切替部３１の可動端子３１cが端子３１a側に切り替えられているか否かの判別が行われる。ここで、可動端子３１cが端子３１a側とされているときにはステップＳＴ２２に進み、端子３１a側とされていないときにはステップＳＴ２３に進む。
【００３８】
ステップＳＴ２２では消去動作をオフ状態としてステップＳＴ２４に進む。またステップＳＴ２３では、画面上にメモリ部４２に記憶されているチャネル番号の番組はアクセス制限がされていないことを示す表示がなされると共に、評価情報データＤＴがメモリ部４２のメモリ領域４２bに書き込まれてステップＳＴ２４に進む。
【００３９】
ステップＳＴ２４では、メモリ部４２のメモリ領域４２aに書き込まれているチャネル番号と、視聴しているチャネル番号すなわちチューナ１１で選局されているチャネル番号が等しいか否かの判別が行われる。ここで、チャネル番号が等しくないときにはステップＳＴ２５に進み、等しいときにはステップＳＴ２８に進む。
【００４０】
ステップＳＴ２５では、ステップＳＴ８と同様に、操作入力部４１からの操作信号ＰＳによってチャネル切替が行われたか否かの判別が行われる。ここで、チャネル切替が行われていないときにはステップＳＴ２６に進み、チャネル切替が行われているときにはステップＳＴ１１に戻る。
【００４１】
ステップＳＴ２６では、タイマー経過時間ＴＭＡが時間Ｌa以上であるか否かの判別が行われる。ここで、時間Ｌa以上経過していないときにはステップＳＴ１２に戻り、時間Ｌa以上経過しているときにはステップＳＴ２７に進む。
【００４２】
ステップＳＴ２７では、タイマー経過時間ＴＭＡを初期値「０」に設定すると共に、信号切替部３１の可動端子３１cの切り替えを行ってステップＳＴ１２に戻る。例えば、信号切替部３１の可動端子３１cが端子３１a側とされているときには端子３１b側に切り替えられる。また可動端子３１cが端子３１b側とされているときには端子３１a側に切り替えられてステップＳＴ１２に戻る。
【００４３】
ステップＳＴ２４からステップＳＴ２８に進むと、ステップＳＴ２８では、メモリ部４２のメモリ領域４２aに記憶されているチャネル番号を切替前チャネル番号ＯＣＨとすると共に、メモリ領域４２bに記憶されているデータを読み出して評価情報データＤＴとしてステップＳＴ２９に進む。
【００４４】
ステップＳＴ２９では、メッセージ表示を消去すると共にタイマー経過時間ＴＭＡを初期値「０」に設定してステップＳＴ６に戻る。
【００４５】
次に、図４を用いてテレビジョン装置の動作を説明する。チューナ１１で選局した番組を視聴している場合、信号切替部３１の可動端子３１cが端子３１a側とされていると、視聴している番組に重畳されている評価情報データＤＴがデコーダ部３２から動作制御部４０に供給される。ここで、評価情報データＤＴのレベルが予め設定した設定評価レベル以上であると判別されると、図４Ａに示すように表示部１４の画面上にはアクセス制限が行われて消去動作がオン状態であることを示す表示「アクセス制限中」が表示領域１４aに表示されると共に、番組の画像や音声の出力が禁止される。また、視聴している番組のチャネル番号と評価情報データＤＴがメモリ部４２に書き込まれる。なお、表示領域１４bには、視聴している番組のチャネル番号「４」が表示される。
【００４６】
操作入力部４１からの操作信号ＰＳによってメッセージモードがオン状態とされたときには、図４Ｂに示すように、表示領域１４aにメッセージモードがオン状態とされたことを示す表示「メッセージモードＯＮ」が、例えば所定時間Ｔaだけ表示される。
【００４７】
ここで、操作入力部４１からの操作信号ＰＳによってチャネル切替が行われると、チューナ１１で新たなチャネル番号、例えばチャネル番号「８」が選局されると共に消去動作がオフ状態とされて、新たな番組の画像や音声が出力される。また、チューナ２１では、メモリ部４２に書き込まれている切替前チャネル番号に基づきチャネル番号「４」の番組が選局される。
【００４８】
さらに、信号切替部３１の可動端子３１cが端子３１a側とされているので、切替後の新たな番組に重畳されている評価情報データＤＴに基づいてアクセス制限の動作が行われる。ここで、評価情報データＤＴのレベルが予め設定した設定評価レベル以上でないとき、あるいは消去動作がオフ状態とされてから時間Ｌa以上経過したときには、消去動作がオフ状態とされたのち、チューナ１１で選局されたチャネル番号とメモリ部４２に記憶されている切替前チャネル番号が比較されて、チャネル番号が異なると可動端子３１cが端子３１a側から端子３１b側に切り替えられる。このため、動作制御部４０では、チャネル切替前の番組に重畳されている評価情報データＤＴに基づいてアクセス制限の判別が行われる。
【００４９】
チャネル切替前の番組に重畳されている評価情報データＤＴが予め設定した設定評価レベル以上であると判別されたときには、図４Ｃに示すように表示領域１４cにチャネル切替前の番組がアクセス制限中であることを示す表示「４−ＮＧ」が表示される。このため、チャネル切替後であっても切替前の番組に対してアクセス制限が行われていることを判別することができる。
【００５０】
また、可動端子３１cはタイマー経過時間ＴＭＡが時間La以上とされたときには可動端子３１cが切り替えられるので、視聴しているチャネル番号「８」の番組と切替前に視聴していたチャネル番号「４」の番組の両方に対してアクセス制限を行うか否かの判別を行うことができる。
【００５１】
その後、チャネル切替が再び行われて、例えばチャネル番号「１２」の番組が選局されると可動端子３１cが端子３１a側とされて、チャネル番号「１２」の番組に重畳されている評価情報データＤＴに基づいてアクセス制限処理が行われる。ここで、評価情報データＤＴのレベルが予め設定した設定評価レベル以上であるときには、図４Ｄに示すように、アクセス制限が行われて消去動作がオン状態であることを示す表示「アクセス制限中」が表示領域１４aに表示されると共に、番組の画像や音声の出力が禁止される。
【００５２】
再びチャネル切替が行われて、例えばチャネル番号「１０」の番組が選局されると共に、チャネル番号「１０」の番組に重畳されている評価情報データＤＴのレベルが予め設定した設定評価レベル以上でないときには、図４Ｅに示すように、消去動作がオフ状態とされる。また、メモリ部４２に書き込まれているチャネル番号「４」の番組に重畳されている評価情報データＤＴのレベルが予め設定した設定評価レベル以上でないときには、アクセス制限中でないことを示す表示「４−ＯＫ」が表示される。このため、表示部１４の表示領域１４cの表示によって切替前の番組に対してアクセス制限が行われているか否かを判別することができるので、アクセス制限中でないことを示す表示がなされているときにチャネル番号を戻すと、チャネル番号を戻す前の判別結果に基づき番組の画像や音声の出力が停止されてしまうことなく、図４Ｆに示すようにチャネル番号「４」の番組に切り替えられる。また、アクセス制限中であることを示す表示がなされているときにチャネル番号を戻すと、チャネル番号を戻す前の判別結果に基づき番組の画像や音声の出力が停止されるので、評価情報データが得られる前であっても番組の画像や音声が出力されてしまうことを防止できる。
【００５３】
このように、メッセージモードをオフ状態からオン状態に切り替えたときには、このとき視聴している番組に対するアクセス制限が行われるので、正しくアクセス制限を行うことができる。また、チャネル番号を切り替えてもメッセージモードをオン状態としたときに視聴していたチャネル番号の番組がアクセス制限されているか否かが画面上に表示されるので、アクセス制限状態を容易に把握することができる。また、このチャネル番号の番組がアクセス制限中であるときに、他の番組からアクセス制限中の番組にチャネル番号を切り替えても、直ちに消去動作が行われるので、悪影響のある画像や音声が出力されてしまうことを防止できる。
【００５４】
図５は、メッセージモードがオン状態とされているときの動作を示しており、図５Ａに示すようにチャネル番号「３」を選局しているときに、チャネル切替を行い、図５Ｂに示すようにチャネル番号「４」を選局すると表示領域１４bのチャネル番号表示が「３」から「４」に切り替えられる。また、このチャネル番号「４」の番組に重畳されている評価情報データＤＴのレベルが設定評価レベル以上となると、アクセス制限が行われて消去動作中であることを示す表示「アクセス制限中」が表示領域１４aに表示される。
【００５５】
ここでチャネル切替を行うと、図５Ｃに示すように、表示領域１４cの位置にアクセス制限が行われたチャネル番号「４」とアクセス制限が行われているか否かを示す表示、例えばアクセス制限が行われていない表示「ＯＫ」あるいはアクセス制限中である表示「ＮＧ」が表示される。また、アクセス制限が行われたチャネル番号の番組に対してアクセス制限が行われていないことを示す表示「ＯＫ」が表示されているときに、このチャネル番号を選局すると、図５Ｄに示すようにアクセス制限されることなく選局された番組が表示される。
【００５６】
次にチャネル切替を行って、図５Ｅに示すように例えばチャネル番号「１０」を選択したときにアクセス制限が行われたときには、アクセス制限が行われて消去動作中であることを示す表示「アクセス制限中」が表示領域１４aに表示されると共に、チャネル切替を行うと、図５Ｆに示すように、表示領域１４cの位置にアクセス制限が行われたチャネル番号「１０」とアクセス制限が行われているか否かを示す表示がなされる。
【００５７】
このように、メッセージモードがオン状態とされているときには、アクセス制限が行われた番組から他の番組にチャネル切替を行ったときに、切替前の番組に対してのアクセス制限状態が表示されるので、チャネル切替を行っても簡単にアクセス制限が行われた番組のアクセス制限状態を容易に把握することができる。
【００５８】
ところで、上述の実施の形態では、２つのチューナを有する場合について説明したが、テレビジョン装置では、放送番組や配信番組を選局して画面上に表示できるだけでなく、光ディスク装置やビデオテープレコーダ等の再生装置からの再生信号に基づく画像を画面上に表示することも行われている。そこで、第２の実施の形態として、放送番組や配信番組と外部の再生装置で再生された番組を切り替えても正しくアクセス制限を行うことができるテレビジョン装置について説明する。
【００５９】
図６は第２の実施の形態の構成を示している。なお、図６において、図１と対応する部分については同一符号を付し、その詳細な説明は省略する。映像中間周波処理部１２で得られた映像信号は、信号切替部４７，４８の端子４７a，４８aに供給される。また、再生装置から外部入力端子４５を介して供給された映像信号は、信号切替部４７，４８の端子４７b，４８bに供給される。
【００６０】
信号切替部４７の可動端子４７cは、色信号・同期処理部１３と音声中間周波処理部１５と接続されており、信号切替部４７の端子４７aに供給された映像中間周波処理部１２からの映像信号と、端子４７bに供給された外部入力端子４５からの映像信号の何れかを動作制御部５０から切替制御信号ＣＳＶに基づいて選択して色信号・同期処理部１３と音声中間周波処理部１５に供給する。
【００６１】
また、信号切替部４８の可動端子４８cにはデコーダ部３２が接続されており、信号切替部４８の端子４８aに供給された映像中間周波処理部１２からの映像信号と、端子４８ｂに供給された外部入力端子４５からの映像信号の何れかを、動作制御部５０から供給された切替制御信号ＣＳＷに基づいて選択してデコーダ部３２に供給する。
【００６２】
動作制御部５０には操作入力部４１が接続されており、操作入力部４１からの操作信号に基づいて、選局制御信号ＴＣaを生成したり、アクセス制限動作を行うか否かの選択、およびアクセス制限を行う際には、評価レベルの設定等が行われる。さらに、切替制御信号ＣＳＶ，ＣＳＷの生成も行われる。また、動作制御部５０にはメモリ部４２やタイマー部４３が接続されており、メモリ部４２に記憶されているチャネル番号、評価情報データや設定評価データ、およびタイマー部４３からの時間情報を利用して、動作制御部５０の動作が行われる。
【００６３】
次に、図７，図８のフローチャートを用いて動作制御部５０の処理を説明する。ステップＳＴ５１ではタイマー経過時間ＴＭＡを初期値「０」に設定してステップＳＴ５２に進む。
【００６４】
ステップＳＴ５２では、視聴する番組側を信号切替部４７で選択してステップＳＴ５３に進む。またステップＳＴ５３では、視聴する番組側を信号切替部４８で選択してステップＳＴ５４に進む。例えば、チューナ１１で選局された番組を視聴する場合には、信号切替部４７の可動端子４７cを端子４７a側とすると共に、信号切替部４８の可動端子４８cを端子４８a側とする。また、外部入力端子４５を介して供給された番組を視聴する場合には、信号切替部４７の可動端子４７cを端子４７b側とすると共に、信号切替部４８の可動端子４８cを端子４８b側とする。
【００６５】
ステップＳＴ５４では、デコーダ部３２から評価情報データＤＴが供給されたか否かが判別される。ここで、評価情報データが供給されたときにはステップＳＴ５５に進み、供給されていないときにはステップＳＴ５９に進む。
【００６６】
ステップＳＴ５４からステップＳＴ５５に進むと、ステップＳＴ５５ではタイマー経過時間ＴＭＡを初期値「０」に設定してステップＳＴ５６に進む。
【００６７】
ステップＳＴ５６では、デコーダ部３２から供給された評価情報データＤＴのレベルがメモリ部４２に記憶されている設定評価レベル以上であるか否かの判別が行われる。ここで、生成された評価情報データＤＴのレベルが設定評価レベル以上で、アクセス制限を行う場合にはステップＳＴ５７に進み、供給された評価情報データＤＴのレベルが設定評価レベル以上でないときにはステップＳＴ６０に進む。
【００６８】
ステップＳＴ５７では、消去動作をオン状態として番組の表示や番組の音声の出力を禁止する。また、動作制御部５０から情報信号ＤＭをメモリ部４２に供給して、メモリ部４２のメモリ領域４２aに切替前に視聴されていた番組が、チューナ１１で選局された番組あるいは外部入力端子４５を介して供給された番組のいずれであるかを示す切替前入力選択データＤＳを書き込むと共に、メモリ領域４２bにデコーダ部３２で生成された評価情報データＤＴを書き込みステップＳＴ５８に進む。
【００６９】
ステップＳＴ５８では、操作入力部４１からの操作信号ＰＳによって入力切替が行われたか否かの判別が行われる。ここで、入力切替が行われていないときにはステップＳＴ５３に戻り、入力切替が行われているときにはステップＳＴ６１に進む。
【００７０】
ステップＳＴ５４からステップＳＴ５９に進むと、ステップＳＴ５９では、タイマー経過時間ＴＭＡが時間Ｌa以上であるか否かの判別が行われる。ここで、タイマー経過時間ＴＭＡが時間Ｌa以上経過していないときにはステップＳＴ５３に戻り、時間Ｌa以上経過するとステップＳＴ６０に進む。
【００７１】
ステップＳＴ５６あるいはステップＳＴ５９からステップＳＴ６０に進むと、ステップＳＴ６０では、消去動作がオン状態とされているときにはオフ状態としてステップＳＴ５３に戻る。
【００７２】
ステップＳＴ５８からステップＳＴ６１に進むと、ステップＳＴ６１では消去動作をオフ状態とする。また、信号切替部４８の可動端子４８cの端子切替を行い、例えば端子４８a側とされているときには端子４８b側に切り替え、端子４８b側とされているときには端子４８a側に切り替える。さらに、タイマー経過時間ＴＭＡを初期値「０」に設定すると共に、入力切替が行われて新たに視聴される番組の入力側を切替前入力選択データＤＳに設定してステップＳＴ６２に進む。
【００７３】
ステップＳＴ６２では、操作入力部からの操作信号ＰＳによってメッセージモードに設定されているか否かの判別が行われる。ここで、メッセージモードに設定されているときにはステップＳＴ６３に進み、メッセージモードに設定されていないときにはステップＳＴ５３に戻る。
【００７４】
ステップＳＴ６３では、デコーダ部３２から評価情報データＤＴが供給されたか否かの判別が行われる。ここで、評価情報データＤＴが供給されたときにはステップＳＴ６４に進み、供給されていないときにはステップＳＴ６９に進む。
【００７５】
ステップＳＴ６４では、タイマー経過時間ＴＭＡを時間Ｌaに設定してステップＳＴ６５に進み、ステップＳＴ６５では供給された評価情報データＤＴのレベルが設定評価レベル以上であるか否かの判別が行われる。ここで、設定評価レベル以上であるときにはステップＳＴ６６に進み、設定評価レベル以上でないときにはステップＳＴ７０に進む。
【００７６】
ステップＳＴ６６では、信号切替部４８の可動端子４８cで選択されている番組の入力側とメモリ部４２に書き込まれている切替前入力選択データＤＳで示される入力側が等しいか否かの判別が行われる。ここで、等しい場合にはステップＳＴ６８に進み、等しくないときにはステップＳＴ６７に進む。
【００７７】
ステップＳＴ６７では、消去動作をオン状態としてステップＳＴ７３に進む。またステップＳＴ６８では、画面上にメモリ部４２に記憶されている切替前入力選択データＤＳの番組はアクセス制限中であることを示す表示がなされると共に、評価情報データＤＴがメモリ部４２のメモリ領域４２bに書き込まれてステップＳＴ７３に進む。
【００７８】
ステップＳＴ６３からステップＳＴ６９に進むと、ステップＳＴ６９では、タイマー経過時間ＴＭＡが時間Ｌa以上であるか否かの判別が行われる。ここで、タイマー経過時間ＴＭＡが時間Ｌa以上経過しているときにはステップＳＴ７０に進み、時間Ｌa以上経過していないときにはステップＳＴ７３に進む。
【００７９】
ステップＳＴ６５からステップＳＴ７０に進むと、ステップＳＴ７０でもステップＳＴ６６と同様に、信号切替部４８の可動端子４８cで選択されている番組の入力側とメモリ部４２に書き込まれている切替前入力選択データＤＳで示される入力側が等しいか否かの判別が行われる。ここで、等しい場合にはステップＳＴ７２に進み、等しくないときにはステップＳＴ７１に進む。
【００８０】
ステップＳＴ７１では消去動作をオフ状態としてステップＳＴ７３に進む。またステップＳＴ７２では、画面上にメモリ部４２に記憶されている切替前入力選択データＤＳで示される入力側の番組はアクセス制限がされていないことを示す表示がなされると共に、評価情報データＤＴがメモリ部４２のメモリ領域４２bに書き込まれてステップＳＴ７３に進む。
【００８１】
ステップＳＴ７３では、メモリ部４２のメモリ領域４２aに書き込まれている切替前入力選択データＤＳで示される入力側と、信号切替部４７で選択されている入力側が等しいか否かの判別が行われる。ここで、等しくないときにはステップＳＴ７４に進み、等しいときにはステップＳＴ７７に進む。
【００８２】
ステップＳＴ７４では、チューナ１１からの信号が選択されているときに、操作入力部４１からの操作信号ＰＳによってチャネル番号の切替が行われたか否かの判別が行われる。ここで、チャネル番号の切替が行われていないときにはステップＳＴ７５に進み、チャネル切替が行われたときにはステップＳＴ６１に戻る。
【００８３】
ステップＳＴ７５では、タイマー経過時間ＴＭＡが時間Ｌa以上であるか否かの判別が行われる。ここで、時間Ｌa以上経過していないときにはステップＳＴ６２に戻り、時間Ｌa以上経過するとステップＳＴ７６に進む。
【００８４】
ステップＳＴ７６では、タイマー経過時間ＴＭＡを初期値「０」に設定すると共に、信号切替部４８の可動端子４８cの切り替えを行ってステップＳＴ６２に戻る。例えば、信号切替部４８の可動端子４８cが端子４８a側とされているときには端子４８b側に切り替えられる。また可動端子４８cが端子４８b側とされているときには端子４８a側に切り替えられる。
【００８５】
ステップＳＴ７３からステップＳＴ７７に進むと、ステップＳＴ７７では、メモリ部４２のメモリ領域４２aから切替前入力選択データＤＳを読み出すと共に、メモリ領域４２bに記憶されている評価情報データＤＴを読み出してステップＳＴ７８に進む。
【００８６】
ステップＳＴ７８では、メッセージ表示を消去すると共にタイマー経過時間ＴＭＡを初期値「０」に設定してステップＳＴ５６に戻る。
【００８７】
この第２の実施の形態も、第１の実施の形態と同様な動作が行われて、メッセージモードをオフ状態からオン状態に切り替えたときには、このとき視聴している番組に対するアクセス制限が行われて、入力切替やチャネル番号を切り替えてもメッセージモードをオン状態としたときに視聴していたチャネル番号の番組がアクセス制限されているか否かが画面上に表示されて、アクセス制限状態を容易に把握することができる。また、このチャネル番号の番組がアクセス制限中であるときに、他の番組からアクセス制限中の番組にチャネル番号を切り替えても、直ちに消去動作を行うことができる。
【００８８】
また、メッセージモードがオン状態とされているときには、アクセス制限が行われた番組から他の番組に入力切替あるいはチャネル切替を行ったとき、アクセス制限が行われた番組に対してのアクセス制限状態を容易に把握することができる。
【００８９】
このように、上述の実施の形態によれば、チャネル切替や入力切替を行っても、アクセス制限が行われた番組に対してアクセス制限状態を容易に把握することができる。また、チャネル切替や入力切替を行ってアクセス制限が行われた番組を選択したときに、番組に重畳されている評価情報データＤＴが得られる前に、評価情報データＤＴと設定評価レベルとの比較結果に基づき直ちに番組の表示や音声の出力を制御することができる。
【００９０】
【発明の効果】
この発明によれば、第１の番組と第２の番組とに重畳されている番組出力制限用データを交互に所望の制限レベルと比較し、比較結果に基づき第１および第２の番組の出力が制御される。このため、例えば切替前の第１の番組と切替後の第２の番組に対して番組の出力を制御することができる。
【００９１】
また、第２の番組に重畳されている番組出力制限用データと所望の制限レベルとの比較結果に基づいて第２の番組の画像や音声の出力が停止されると共に、第１の番組に重畳されている番組出力制限用データと所望の制限レベルとの比較結果が出力される。このため、番組切替後の第２の番組に対してアクセス制限を行って番組の画像や音声の出力を制御することができると共に、番組切替前の第１の番組に対してアクセス制限が行われているか否かを容易に判別できる。
【００９２】
また、視聴する番組を第１の番組から第２の番組に切り替えて、再び第１の番組を視聴するときには、第２の番組を視聴している際に得られた第１の番組に重畳されている番組出力制限用データと所望の制限レベルとの比較結果に基づいて、第１の番組の出力が制御される。このため、再び第１の番組を選択したとき、直ちに番組出力制限用データを得ることができなくとも、比較結果に基づいて正しく第１の番組の出力を制御することができる。
【００９３】
さらに、新たに視聴された番組に重畳されている番組出力制限用データと所望の制限レベルとを比較してから、切替前の番組に重畳されている番組出力制限用データとの比較が行われるので、新たに視聴された番組に対して番組出力制限用データに基づき応答性良く番組の出力を制御することができる。
【図面の簡単な説明】
【図１】テレビジョン装置の第１の実施の形態の構成を示す図である。
【図２】動作制御部４０の処理を示すフローチャート（１／２）である。
【図３】動作制御部４０の処理を示すフローチャート（２／２）である。
【図４】第１の実施の形態の動作を説明するための図である。
【図５】メッセージモードがオン状態のときの動作を説明するための図である。
【図６】テレビジョン装置の第２の実施の形態の構成を示す図である。
【図７】動作制御部５０の処理を示すフローチャート（１／２）である。
【図８】動作制御部５０の処理を示すフローチャート（２／２）である。
【図９】番組評価情報を示す図である。
【符号の説明】
１０  アンテナ
１１，２１  チューナ
１２，２２  映像中間周波処理部
１３  色再生・同期処理部
１４  表示部
１５  音声中間周波処理部
１６  音声増幅部
１７  音声出力部
３１，４７，４８  信号切替部
３２  デコーダ部
４０，５０  動作制御部
４１  操作入力部
４２  メモリ部
４３  タイマー部
４５  外部入力端子
【図１】
0004211114.tif 000002
【図２】
0004211114.tif 000003
【図３】
0004211114.tif 000004
【図４】
0004211114.tif 000005
【図５】
0004211114.tif 000006
【図６】
0004211114.tif 000007
【図７】
0004211114.tif 000008
【図８】
0004211114.tif 000009
【図９】
0004211114.tif 000010